(57)【要約】【課題】消費電力を節減することが可能な監視用撮影装置を提供する。【解決手段】モニター装置２が使用されない期間に、ドアスコープカメラ１の無線通信部１３を停止させて、消費電力を節減しているので、電池の交換もしくは充電の周期が長くなる。また、ドアスコープカメラ１の無線通信部１３を停止させているときには、カメラ本体１１により撮影された画像をメモリカード４に記憶しているので、何時でも、画像をメモリカード４から読出して見ることができる。【選択図】図２
2007312210.tif 000002
【特許請求の範囲】
【請求項１】
カメラと、このカメラにより撮影された画像をモニター装置へと送信する通信手段とを備える監視用撮影装置において、
前記カメラにより撮影された画像を記憶するメモリと、
来訪者を検出する検出手段と、
前記通信手段をオフにする通信切替え手段と、
前記通信切替え手段により前記通信手段がオフにされた場合は、前記検出手段による来訪者の検出に応答して前記カメラを起動し、このカメラにより撮影された画像を前記メモリに記憶する制御手段とを備えることを特徴とする監視用撮影装置。
【請求項２】
前記通信切替え手段は、前記カメラ及び前記モニター装置のいずれかでの入力操作に応答して、前記通信手段をオフにすることを特徴とする請求項１に記載の監視用撮影装置。
【請求項３】
前記メモリは、着脱自在であり、
前記通信切替え手段は、前記メモリが装着されると、前記通信手段をオフにすることを特徴とする請求項１に記載の監視用撮影装置。
【発明の詳細な説明】
【技術分野】
【０００１】
本発明は、カメラによる撮影を行い、その画像をモニター装置等に送信する監視用撮影装置に関する。
【背景技術】
【０００２】
この種の装置は、一般家庭でも用いられている。例えば、カメラを玄関等に設置して、カメラにより来訪者や侵入者等を撮影し、その画像をカメラからモニター装置へと送受信する。モニター装置では、その画像を受信して画面に表示する。このため、玄関等まで行かなくても、モニター装置の表示画面を見れば、来訪者や侵入者を確認することができる。
【０００３】
また、特許文献１では、ドアスコープが一体的に取り付けられたカメラを用いており、カメラのドアスコープをドアの孔に挿入して、カメラをドア内側に配置し、カメラによりドア外側の来訪者を撮影して、その画像をモニター装置に無線で送信し、モニター装置で画像を表示している。
【０００４】
更に、特許文献２では、ＣＣＤカメラ、メモリ、及びモニターを一体的に設けており、人感センサーにより来訪者を検出して、ＣＣＤカメラによりドアスコープ用の孔を通じて来訪者を撮影し、その画像をメモリに記憶したりモニターに表示している。
【０００５】
また、特許文献３では、監視カメラにより撮影された画像及び防犯用センサーにより感知された防犯情報を無線通信して、遠隔で画像及び防犯情報を再生出力している。
【特許文献１】特開平８−２１８７４９号公報
【特許文献２】特開２００５−３１８０３６号公報
【特許文献３】特開２００５−３１８０３６号公報
【発明の開示】
【発明が解決しようとする課題】
【０００６】
ところで、カメラをドア等に設け、カメラへの電力供給をコードを通じて行う場合は、コードをドアに引き回せねばならず、コードの設置が容易ではなく、コードが目立って、ドア近辺の外観が損なわれてしまう。
【０００７】
また、カメラに電池を設けて、電池の電力を用いる場合は、カメラの動作を長時間維持するのが困難であり、電池の交換や充電が必要になる。
【０００８】
例えば、特許文献２の様にモニターをＣＣＤカメラに一体的に設けるという構成では、ＣＣＤカメラだけではなく、モニターの電力をも電池から供給しなければならないので、それらの動作を長時間維持することができない。あいるは、特許文献１、３の様にカメラにより撮影された画像を無線で送信するという構成では、カメラの起動を無線で指示することから、カメラ側を常に受信待機状態にする必要があり、このための電力が消費されて、カメラ側の動作を長時間維持することができない。
【０００９】
そこで、本発明は、上記従来の問題点に鑑みてなされたものであり、消費電力を節減することが可能な監視用撮影装置を提供することを目的とする。
【課題を解決するための手段】
【００１０】
上記課題を解決するために、本発明は、カメラと、このカメラにより撮影された画像をモニター装置へと送信する通信手段とを備える監視用撮影装置において、前記カメラにより撮影された画像を記憶するメモリと、来訪者を検出する検出手段と、前記通信手段をオフにする通信切替え手段と、前記通信切替え手段により前記通信手段がオフにされた場合は、前記検出手段による来訪者の検出に応答して前記カメラを起動し、このカメラにより撮影された画像を前記メモリに記憶する制御手段とを備えている。
【００１１】
また、前記通信切替え手段は、前記カメラ及び前記モニター装置のいずれかでの入力操作に応答して、前記通信手段をオフにしている。
【００１２】
更に、前記メモリは、着脱自在であり、前記通信切替え手段は、前記メモリが装着されると、前記通信手段をオフにしている。
【発明の効果】
【００１３】
この様な本発明の監視用撮影装置では、モニター装置との通信をオフにすることができる。例えば、留守のときには、モニター装置を用いることがないので、通信をオフにしても差し支えない。こうして通信をオフにすると、消費電力が節減されるので、電池の交換もしくは充電の周期が長くなる。ただし、モニター装置からの起動の指示を受信することはできず、またカメラにより撮影された画像をモニター装置へと送信することもできない。そこで、検出手段により来訪者が検出されたときに、カメラを起動して、カメラにより撮影された画像をメモリに記憶して残している。
【００１４】
通信のオフは、カメラ及びモニター装置のいずれかでの入力操作に応答して行えば良い。
【００１５】
また、メモリを着脱自在に設け、メモリが装着されると、通信をオフにしている。これにより、通信をオフにするための格別な入力操作が必要でなくなる。また、留守にするときにメモリを装着して、通信をオフにしておけば、カメラにより撮影された画像がメモリに記憶されることになる。そして、帰宅したときに、メモリを取り外せば、通信がオンとなって、モニター装置からの起動の指示を受信するための受信待機状態に戻る。更に、モニター装置側で、メモリの画像を読み出して表示することができる。メモリは、各種のメモリカードのいずれでも利用することができ、カードリーダライターを併用する。
【発明を実施するための最良の形態】
【００１６】
以下、本発明の一実施形態を添付図面を参照しつつ詳細に説明する。
【００１７】
図１は、本発明の監視用撮影装置の一実施形態を適用したモニターシステムを概略的に示す図である。本実施形態のシステムは、玄関のドア５に取り付けられ、ドア５の外側を撮影するドアスコープカメラ１と、ドア５の上端に外側に向けて取り付けられ、人体を感知する感知センサー３と、室内に配置され、ドアスコープカメラ１により撮影された画像を表示するモニター装置２とを備えている。
【００１８】
ドアスコープカメラ１は、その撮影レンズを玄関のドア５のドアスコープ（図示せず）に重ね合わせられて、ドア５の表面に固定されている。この状態で、ドアスコープカメラ１によりドアスコープを通じて玄関外側を撮影することができる。ドアスコープカメラ１は、撮影した画像を示す画像データをモニター装置２へと無線で送信する。モニター装置２は、ドアスコープカメラ１からの画像データを受信して、この画像データによって示される画像をその画面２ａに表示する。
【００１９】
また、ドアスコープカメラ１は、メモリカード４を着脱自在に装着することが可能なメモリカードスロット部（カードライター）１４を備えている。メモリカード４がメモリカードスロット部１４に装着された状態で、ドアスコープカメラ１による撮影が行われたときには、メモリカードスロット部１４により撮影画像を示す画像データがメモリカード４に書込まれる。
【００２０】
感知センサー３は、例えば赤外線センサーであり、ドア５の前に来た人体の赤外線を感知して、その検出信号をドアスコープカメラ１に出力する。
【００２１】
図２は、ドアスコープカメラ１及びモニター装置２の構成を示すブロック図である。ドアスコープカメラ１は、カメラ本体１１と、カメラ本体１１から出力された画像信号を符号化圧縮して画像データに変換する画像処理部１２と、画像データ等をモニター装置２との間で送受信する無線通信部１３と、メモリカード４が着脱自在に装着されるメモリカードスロット部（カードライター）１４と、感知センサー３から検出信号を入力するセンサー入力部１５と、各種のプログラムやデータ等を記憶するメモリ１６と、このドアスコープカメラ１を統括的に制御する制御部１７と、このドアスコープカメラ１に電力を供給する電池１８とを備えている。
【００２２】
また、モニター装置２は、画像データ等をドアスコープカメラ１との間で送受信する無線通信部２１と、画像データを復号化伸張して画像信号に変換する画像処理部２２と、この画像信号によって示される画像を表示する表示部２３と、入力操作部２４と、各種のプログラムやデータ等を記憶するメモリ２５と、メモリカード４が着脱自在に装着されるメモリカードスロット部（カードリーダー）２６と、このモニター装置２を統括的に制御する制御部２７とを備えている。
【００２３】
ドアスコープカメラ１においては、制御部１７がメモリカードスロット部１４の状態を常に監視している。そして、制御部１７は、メモリカードスロット部１４にメモリカード４が挿入されているか否かを判定し、メモリカード４が挿入されていなければ、モニター装置２との通信の待機状態を設定し、少なくとも無線通信部１３を動作させる。また、制御部１７は、メモリカードスロット部１４にメモリカード４が挿入されると、通信の待機状態を解除して、無線通信部１３を停止させ、この代わりに、感知センサー３及びセンサー入力部１５を待機状態にして、感知センサー３からの検出信号をセンサー入力部１５を通じて監視する。
【００２４】
従って、ドアスコープカメラ１のメモリカードスロット部１４が空であるときに、ドアスコープカメラ１とモニター装置２間の通信が行われる。
【００２５】
さて、ドアスコープカメラ１では、メモリカードスロット部１４が空であって、モニター装置２との通信の待機状態にあり、少なくとも無線通信部１３及び制御部１７が動作しているものとする。
【００２６】
このとき、モニター装置２の入力操作部２４を操作して、ドアスコープカメラ１の起動を指示すると、これに応答して制御部２７は、ドアスコープカメラ１の起動を示す制御信号を無線通信部２１に出力し、この制御信号を無線通信部２１から送信する。
【００２７】
ドアスコープカメラ１では、通信の待機状態にあって、少なくとも無線通信部１３及び制御部１７が動作しており、モニター装置２からの制御信号を無線通信部１３で受信して制御部１７に入力する。制御部１７は、ドアスコープカメラ１の起動を示す制御信号を入力すると、カメラ本体１１及び画像処理部１２等を起動する。このとき、カメラ本体１１は、玄関外側の撮影を開始し、その画像を示す画像信号を画像処理部１２に出力する。画像処理部１２は、この画像信号を入力すると、この画像信号を符号化圧縮して画像データに変換し、この画像データを制御部１７に出力する。制御部１７は、この画像データを入力すると、この画像データを無線通信部１３を通じてモニター装置２へと送信する。
【００２８】
モニター装置２では、ドアスコープカメラ１からの画像データを無線通信部２１で受信し、この画像データを制御部２７を介して画像処理部２２に入力する。画像処理部２２は、この画像データを入力すると、この画像データを復号化伸張して画像信号に変換し、この画像信号を表示部２３に出力する。表示部２３は、この画像信号によって示される玄関外側の画像を該表示部２３の画面２ａに表示する。
【００２９】
従って、モニター装置２側でドアスコープカメラ１の起動が指示されると、ドアスコープカメラ１により玄関外側の撮影が開始され、この玄関外側の画像がモニター装置２側で表示される。
【００３０】
次に、モニター装置２の入力操作部２４を操作して、ドアスコープカメラ１の停止を指示すると、これに応答して制御部２７は、ドアスコープカメラ１の停止を示す制御信号を無線通信部２１を通じて送信する。
【００３１】
ドアスコープカメラ１では、モニター装置２からの制御信号を無線通信部１３で受信して制御部１７に入力する。制御部１７は、ドアスコープカメラ１の停止を示す制御信号を入力すると、カメラ本体１１及び画像処理部１２等を停止させ、待機状態に戻る。
【００３２】
従って、モニター装置２側でドアスコープカメラ１の停止を指示すると、ドアスコープカメラ１による撮影が停止されて、モニター装置２側の表示も停止される。
【００３３】
ところで、ドアスコープカメラ１は、電池１８の電力により動作するので、電池１８の交換や充電を行う必要があるが、消費電力を節減して、その交換や充電の周期を長くすることが好ましい。
【００３４】
そこで、本実施形態では、モニター装置２が使用されない期間に、ドアスコープカメラ１の無線通信部１３を停止させて、無線通信部１３の消費電力を０にしている。先に述べた様にドアスコープカメラ１が待機状態にあるときには、モニター装置２からの制御信号を受信するために無線通信部１３が動作しており、この無線通信部１３の消費電力が小さくない。ところが、モニター装置２が使用されていない期間は、無線通信部１３を動作させる必要がないことから、無線通信部１３を停止させても良く、その消費電力を０にすれば、消費電力の節減になる。
【００３５】
次に、ドアスコープカメラ１の消費電力節減のための動作を説明する。
【００３６】
例えば、利用者が外出して留守のときには、モニター装置２が使用されることはなく、モニター装置２が非通信の状態であっても差し支えなく、ドアスコープカメラ１の無線通信部１３を停止させることができる。
【００３７】
そこで、利用者は、外出して留守にするときに、メモリカード４をドアスコープカメラ１のメモリカードスロット部１４に挿入する。ドアスコープカメラ１の制御部１７は、メモリカードスロット部１４にメモリカード４が挿入されると、通信の待機状態を解除して、無線通信部１３を停止させ、この代わりに、感知センサー３及びセンサー入力部１５を待機状態にして、感知センサー３からの検出信号をセンサー入力部１５を通じて監視する。これにより、無線通信部１３の消費電力が０となって、消費電力が節減される。
【００３８】
尚、感知センサー３及びセンサー入力部１５の消費電力は、無線通信部１３の消費電力よりも十分に小さいので、感知センサー３及びセンサー入力部１５を待機状態にしても、消費電力の節減を果たすことができる。
【００３９】
こうして感知センサー３及びセンサー入力部１５の待機状態が設定されているときに、来訪者がドア５の前に来ると、感知センサー３により来訪者の人体が感知される。制御部１７は、感知センサー３の検出信号をセンサー入力部１５を通じて監視しており、感知センサー３により来訪者の人体が感知されると、これに応答してカメラ本体１１及び画像処理部１２等を起動する。カメラ本体１１は、玄関外側の撮影を開始し、その画像を示す画像信号を画像処理部１２に出力する。画像処理部１２は、この画像信号を符号化圧縮して画像データに変換し、この画像データを制御部１７に出力する。制御部１７は、この画像データを入力すると、この画像データをメモリカードスロット部１４を通じてメモリカード４に書込む。
【００４０】
この様なカメラ本体１１による撮影及びメモリカード４への画像データの書込みは、感知センサー３により人体が感知されている間は継続されるか又は一定時間継続される。また、来訪者がドア５の前に来て、感知センサー３により人体が感知される度に、撮影及び画像データの書込みが繰り返される。
【００４１】
次に、利用者は、外出から戻って来たときに、メモリカード４をドアスコープカメラ１のメモリカードスロット部１４から抜き取る。ドアスコープカメラ１の制御部１７は、メモリカードスロット部１４からメモリカード４が抜き取られると、感知センサー３及びセンサー入力部１５の待機状態を解除して、感知センサー３及びセンサー入力部１５を停止させる。そして、制御部１７は、モニター装置２との通信の待機状態を設定し、少なくとも無線通信部１３を再び動作させる。これにより、先に述べた様にモニター装置２側からドアスコープカメラ１の起動を指示して、ドアスコープカメラ１による撮影を開始させ、この玄関外側の画像をモニター装置２側で表示することが可能になる。
【００４２】
一方、利用者は、メモリカード４内の画像データによって示される画像をモニター装置２の表示部２３の画面２ａに表示させることができる。この場合は、メモリカード４をモニター装置２のメモリカードスロット部２６に挿入し、入力操作部２４を操作して、メモリカード４内の画像データによって示される画像の再生を指示する。
【００４３】
モニター装置２の制御部２７は、メモリカード４内の画像データの再生を指示されると、メモリカード４内の画像データをメモリカードスロット部２６を通じて読み出し、この画像データを画像処理部２２に入力する。画像処理部２２は、この画像データを復号化伸張して画像信号に変換し、この画像信号を表示部２３に出力する。表示部２３は、この画像信号によって示される画像、つまりメモリカード４内の画像を表示する。
【００４４】
この様に本実施形態では、モニター装置２が使用されない期間に、ドアスコープカメラ１の無線通信部１３を停止させて、消費電力を節減しているので、電池の交換もしくは充電の周期が長くなる。
【００４５】
また、ドアスコープカメラ１の無線通信部１３を停止させているときには、カメラ本体１１により撮影された画像をメモリカード４に記憶しているので、何時でも、画像をメモリカード４から読出して見ることができる。留守中だけではなく、深夜等にもメモリカード４をドアスコープカメラ１のメモリカードスロット部１４にセットして、撮影画像をメモリカード４に記憶する様にしておけば、消費電力の節減と同時に、防犯効果も期待することができる。
【００４６】
更に、メモリカード４の着脱により無線通信部１３の停止と再起動を切替えているので、格別なスイッチを設ける必要がなく、格別なスイッチ操作も必要としない。
【００４７】
尚、本発明は、上記実施形態に限定されるものではなく、多様に変形することができる。例えば、メモリカード４を省略し、無線通信部１３の停止中に、感知センサー３の検出信号に応答して撮影画像をメモリ１６に記憶しておき、無線通信部１３の動作再開の後で、撮影画像をメモリ１６から読み出してモニター装置２に送信し、この撮影画像をモニター装置２に表示しても良い。
【００４８】
また、ドアスコープカメラだけではなく、他の種類の据付型カメラにも本発明を適用することができる。
【００４９】
更に、感知センサーとして、赤外線を検出するものを例示しているが、他の種類のセンサーを適用しても構わない。
【図面の簡単な説明】
【００５０】
【図１】本発明の監視用撮影装置の一実施形態を適用したモニターシステムを概略的に示す図である。
【図２】図１のシステムおけるドアスコープカメラ及びモニター装置の構成を示すブロック図である。
【符号の説明】
【００５１】
１  ドアスコープカメラ
２  モニター装置
３  感知センサー
４  メモリカード
５  ドア
１１  カメラ本体
１２、２２  画像処理部
１３、２１  無線通信部
１４、２６  メモリカードスロット部
１５  センサー入力部
１６、２５  メモリ
１７、２７  制御部
１８  電池
２３  表示部
２４  入力操作部
【図１】
2007312210.tif 000003
【図２】
2007312210.tif 000004